【手続補正書】
【提出日】平成28年6月13日(2016.6.13)
【手続補正１】
【補正対象書類名】特許請求の範囲
【補正対象項目名】全文
【補正方法】変更
【補正の内容】
【特許請求の範囲】
【請求項１】
測位サーバによって使用される複数のマップをマージするための方法であって、
第１のフォーマットにある第１のマップを取得することと、
前記第１のフォーマットとは異なる第２のフォーマットにある第２のマップを取得することと、ここにおいて前記第１のマップと前記第２のマップとは同じ会場に関連する、
前記第１のマップ内の基本的な特徴に基づいて、前記第１のマップから外壁の境界を決定し、前記第２のマップ内の基本的な特徴に基づいて、前記第２のマップから外壁の境界を決定することと、
前記第１および第２のマップ内の主要な特徴に基づいて、前記第１のマップの前記外壁の境界を、前記第２のマップの前記外壁の境界と揃えるまたはオーバレイさせるために、前記第２のマップに対して前記第１のマップをスケーリングし、回転させ、整合させることと、
前記スケーリングし、回転させ、整合させることに基づいて、マージされたマップを形成することと、
を備える、方法。
【請求項２】
前記第１のマップおよび前記第２のマップは各々内壁を備える、請求項１に記載の方法。
【請求項３】
前記第１のマップおよび前記第２のマップは共通の建物の共通のフロアプランをカバーする屋内マップを備える、請求項１に記載の方法。
【請求項４】
前記第１のマップおよび前記第２のマップは共通の建物の隣接するフロアプランをカバーする屋内マップを備える、請求項１に記載の方法。
【請求項５】
前記第１のマップおよび前記第２のマップは、
前記第１のマップが建物を備える屋外マップであって、
前記第２のマップが前記建物のフロアプランである
ことにおいて前記同じ会場に関連する、請求項１に記載の方法。
【請求項６】
前記第１のマップおよび前記第２のマップは２つの異なるソースからのものである、請求項１に記載の方法。
【請求項７】
前記第１のフォーマットはラスタ画像であり、前記第２のフォーマットはベクトルマップである、請求項１に記載の方法。
【請求項８】
前記マージされたマップを形成する前に、前記第１のマップにおける注釈を除去することと、前記第２のマップにおける注釈を除去することとをさらに備える、請求項１に記載の方法。
【請求項９】
前記スケーリングし、回転させ、整合させることは、前記第１および第２のマップ内の類似の特徴を揃えることを備える、請求項１に記載の方法。
【請求項１０】
前記第１のマップと前記第２のマップとの間の差を決定することと、
前記差をメタデータとして位置ベースのサーバに送ることと、
をさらに備える、請求項１に記載の方法。
【請求項１１】
前記マージされたマップを使用して測位支援データを生成することをさらに備える、請求項１に記載の方法。
【請求項１２】
前記測位支援データをモバイルデバイスに送ることをさらに備える、請求項１１に記載の方法。
【請求項１３】
測位サーバによって使用される複数のマップをマージするためのデバイスであって、
第１のフォーマットにある第１のマップを取得するための手段と、
前記第１のフォーマットとは異なる第２のフォーマットにある第２のマップを取得するための手段と、ここにおいて前記第１のマップと前記第２のマップとは同じ会場に関連する、
前記第１のマップ内の基本的な特徴に基づいて、前記第１のマップから外壁の境界を決定し、前記第２のマップ内の基本的な特徴に基づいて、前記第２のマップから外壁の境界を決定するための手段と、
前記第１および第２のマップ内の主要な特徴に基づいて、前記第１のマップの前記外壁の境界を、前記第２のマップの前記外壁の境界と揃えるまたはオーバレイさせるために、前記第２のマップに対して前記第１のマップをスケーリングし、回転させ、整合させるための手段と、
スケーリングし、回転させ、整合させるための前記手段の出力に少なくとも基づいて、マージされたマップを形成するための手段と、
を備える、デバイス。
【請求項１４】
前記第１のマップおよび前記第２のマップは各々内壁を備える、請求項１３に記載のデバイス。
【請求項１５】
前記第１のマップおよび前記第２のマップは共通の建物の共通のフロアプランをカバーする屋内マップを備える、請求項１３に記載のデバイス。
【請求項１６】
前記第１のマップおよび前記第２のマップは共通の建物の隣接するフロアプランをカバーする屋内マップを備える、請求項１３に記載のデバイス。
【請求項１７】
前記第１のマップおよび前記第２のマップは、
前記第１のマップが建物を備える屋外マップであって、
前記第２のマップが前記建物のフロアプランである
ことにおいて前記同じ会場に関連する、請求項１３に記載のデバイス。
【請求項１８】
前記第１のマップおよび前記第２のマップは２つの異なるソースからのものである、請求項１３に記載のデバイス。
【請求項１９】
前記第１のフォーマットはラスタ画像であり、前記第２のフォーマットはベクトルマップである、請求項１３に記載のデバイス。
【請求項２０】
前記第１のマップにおける注釈を除去し、前記第２のマップにおける注釈を除去するための手段をさらに備え、これは前記マージされたマップを形成するための前記手段の前に機能する、請求項１３に記載のデバイス。
【請求項２１】
測位サーバによって使用される複数のマップをマージするためのデバイスであって、前記デバイスはプロセッサおよびメモリを備え、ここにおいて、前記メモリは、
第１のフォーマットにある第１のマップを取得することと、
前記第１のフォーマットとは異なる第２のフォーマットにある第２のマップを取得することと、ここにおいて前記第１のマップと前記第２のマップとは同じ会場に関連する、
前記第１のマップ内の基本的な特徴に基づいて、前記第１のマップから外壁の境界を決定し、前記第２のマップ内の基本的な特徴に基づいて、前記第２のマップから外壁の境界を決定することと、
主要な特徴に基づいて、前記第１のマップの前記外壁の境界を、前記第２のマップの前記外壁の境界と揃えるまたはオーバレイさせるために、前記第２のマップに対して前記第１のマップをスケーリングし、回転させ、整合させることと、
前記スケーリングし、回転させ、整合させることに少なくとも基づいて、マージされたマップを形成すること
のための複数のソフトウェア命令を含む、デバイス。
【請求項２２】
前記第１のマップおよび前記第２のマップは各々内壁を備える、請求項２１に記載のデバイス。
【請求項２３】
前記第１のマップおよび前記第２のマップは共通の建物の共通のフロアプランをカバーする屋内マップを備える、請求項２１に記載のデバイス。
【請求項２４】
前記第１のマップおよび前記第２のマップは共通の建物の隣接するフロアプランをカバーする屋内マップを備える、請求項２１に記載のデバイス。
【請求項２５】
前記第１のマップおよび前記第２のマップは２つの異なるソースからのものである、請求項２１に記載のデバイス。
【請求項２６】
測位サーバによって使用される複数のマップをマージするためにその上に記憶されたプログラムコードを含む非一時的なコンピュータ可読記憶媒体であって、
第１のフォーマットにある第１のマップを取得することと、
前記第１のフォーマットとは異なる第２のフォーマットにある第２のマップを取得することと、ここにおいて前記第１のマップと前記第２のマップとは同じ会場に関連する、
前記第１のマップ内の基本的な特徴に基づいて、前記第１のマップから外壁の境界を決定し、前記第２のマップ内の基本的な特徴に基づいて、前記第２のマップから外壁の境界を決定することと、
前記第１および第２のマップ内の主要な特徴に基づいて、前記第１のマップの前記外壁の境界を、前記第２のマップの前記外壁の境界と揃えるまたはオーバレイさせるために、前記第２のマップに対して前記第１のマップをスケーリングし、回転させ、整合させることと、
前記スケーリングし、回転させ、整合させることに基づいて、マージされたマップを形成すること
のためのプログラムコードを備える、非一時的なコンピュータ可読記憶媒体。
【請求項２７】
前記第１のマップおよび前記第２のマップは各々内壁を備える、請求項２６に記載の非一時的なコンピュータ可読記憶媒体。
【請求項２８】
前記第１のマップおよび前記第２のマップは共通の建物の共通のフロアプランをカバーする屋内マップを備える、請求項２６に記載の非一時的なコンピュータ可読記憶媒体。
【請求項２９】
前記第１のマップおよび前記第２のマップは共通の建物の隣接するフロアプランをカバーする屋内マップを備える、請求項２６に記載の非一時的なコンピュータ可読記憶媒体。
【請求項３０】
前記第１のマップおよび前記第２のマップは２つの異なるソースからのものである、請求項２６に記載の非一時的なコンピュータ可読記憶媒体。